(57)【要約】      （修正有）【課題】Ａｄｄ／Ｄｒｏｐ信号の波長や方路を任意に設定、変更可能な光波長多重伝送システムを提供する。【解決手段】光信号Ａｄｄ部は、２ｎ個の入力ポートと２ｎ個の出力ポートを有する第１の周回性ＡＷＧを備え、目的の伝送路に出力する任意の波長のＡｄｄ信号を第１の周回性ＡＷＧの所定の入力ポートに入力し、入力ポートに応じた出力ポートにＷＤＭ信号として出力させ、さらに第１の周回性ＡＷＧの各出力ポートのＷＤＭ信号を目的の伝送路に接続された光カプラのＡｄｄポートに接続する構成であり、光信号Ｄｒｏｐ部は、２ｎ個の入力ポートと２ｎ個の出力ポートを有する第２の周回性ＡＷＧを備え、Ｄｒｏｐポートに分波されたＷＤＭ信号を第２の周回性ＡＷＧの所定の入力ポートに入力し、入力ポートに対応する出力ポートに分波して出力させ、さらに第２の周回性ＡＷＧの各出力ポートのＤｒｏｐ信号をそれぞれ所定の受信器に接続して受信する構成である。【選択図】図１
2011040997.tif 000002
【特許請求の範囲】
【請求項１】
伝送路のＷＤＭ信号の波長数をｎとし、ｍ本（ｍは１以上ｎ以下の整数）の伝送路にそれぞれ接続されるｍ個の波長選択スイッチとｍ個の光カプラ路との間でスルーポートを相互接続するとともに、光カプラのＡｄｄポートと光信号Ａｄｄ部とを接続して光信号Ａｄｄ部から送信されたＡｄｄ信号を伝送路に出力し、波長選択スイッチのＤｒｏｐポートと光信号Ｄｒｏｐ部とを接続してＤｒｏｐ信号を受信する光波長多重伝送システムにおいて、
前記光信号Ａｄｄ部は、２ｎ個の入力ポートと２ｎ個の出力ポートを有する第１の周回性ＡＷＧを備え、目的の伝送路に出力する任意の波長のＡｄｄ信号を前記第１の周回性ＡＷＧの所定の入力ポートに入力し、その入力ポートに応じた出力ポートにＷＤＭ信号として出力させ、さらに前記第１の周回性ＡＷＧの各出力ポートのＷＤＭ信号を目的の伝送路に接続された光カプラのＡｄｄポートに接続する構成であり、
前記光信号Ｄｒｏｐ部は、２ｎ個の入力ポートと２ｎ個の出力ポートを有する第２の周回性ＡＷＧを備え、前記Ｄｒｏｐポートに分波されたＷＤＭ信号を前記第２の周回性ＡＷＧの所定の入力ポートに入力し、その入力ポートに対応する出力ポートに分波して出力させ、さらに前記第２の周回性ＡＷＧの各出力ポートのＤｒｏｐ信号をそれぞれ所定の受信器に接続して受信する構成である
ことを特徴とする光波長多重伝送システム。
【請求項２】
請求項１に記載の光波長多重伝送システムにおいて、
前記光信号Ａｄｄ部は、
送信波長が等間隔に連続するｎ波の１つを出力するｐ個（ｐは１以上ｎ以下の整数）の波長可変送信器と、
前記波長可変送信器のの各光出力とそれぞれ接続されるｐ個の入力ポートを含むｎ個の入力ポートと２ｎ個の出力ポートを持つ第１のマトリックス光ＳＷと、
前記第１のマトリックス光ＳＷの出力ポートと接続された２ｎ個の入力ポートと２ｎ個の出力ポートを持つ第１の周回性ＡＷＧと、
前記第１の周回性ＡＷＧの出力ポートと接続された２ｎ個の入力ポートとｎ個の出力ポートを持つ第２のマトリックス光ＳＷと
を備え、前記第２のマトリックス光ＳＷのｎ個の出力ポートのうちｍ個の出力ポートを前記光カプラののＡｄｄポートにそれぞれ接続される構成であり、
前記光信号Ｄｒｏｐ部は、
前記波長選択スイッチのＤｒｏｐポートにそれぞれ接続されるｍ個の入力ポートを含むｎ個の入力ポートと２ｎ個の出力ポートを持つ第３のマトリックス光ＳＷと、
前記第３のマトリックス光ＳＷの出力ポートと接続された２ｎ個の入力ポートと２ｎ個の出力ポートを持つ第２の周回性ＡＷＧと、
前記第２の周回性ＡＷＧの出力ポートと接続された２ｎ個の入力ポートとｎ個の出力ポートを持つ第４のマトリックス光ＳＷと、
前記第４のマトリックス光ＳＷのｎ個の出力ポートのうちｐ個の出力ポートと接続されたｐ個の受信器とを備えた構成であり、
前記第１のマトリックス光ＳＷは、前記波長可変送信器から目的の伝送路に出力する任意の波長のＡｄｄ信号をスイッチングして前記第１の周回性ＡＷＧの所定の入力ポートに入力し、その入力ポートに応じた出力ポートにＷＤＭ信号として出力させる機能を有し、
前記第２のマトリックス光ＳＷは、前記第１の周回性ＡＷＧの各出力ポートのＷＤＭ信号を目的の伝送路に接続された光カプラのＡｄｄポートにスイッチングする機能を有し、
前記第３のマトリックス光ＳＷは、前記波長選択スイッチのＤｒｏｐポートに分波されたＷＤＭ信号を前記第２の周回性ＡＷＧの所定の入力ポートに入力し、その入力ポートに対応する出力ポートに分波したＤｒｏｐ信号を出力させる機能を有し、
前記第４のマトリックス光ＳＷは、前記第２の周回性ＡＷＧの各出力ポートのＤｒｏｐ信号を前記受信器に入力する機能を有する
ことを特徴とする光波長多重伝送システム。
【請求項３】
請求項２に記載の光波長多重伝送システムにおいて、
前記光カプラに代えて、スルーポートとＡｄｄポートの光信号を合波して前記伝送路に出力する波長選択スイッチを用いた構成である
ことを特徴とする光波長多重伝送システム。
【請求項４】
請求項２に記載の光波長多重伝送システムを上りの伝送路および下りの伝送路にそれぞれ対応して設置し、前記上りの伝送路に接続される前記光信号Ａｄｄ部の波長可変送信器と、前記下りの伝送路に接続される前記光信号Ｄｒｏｐ部の受信器とをまとめて送受信器として構成し、前記下りの伝送路に接続される前記光信号Ａｄｄ部の波長可変送信器と、前記上りの伝送路に接続される前記光信号Ｄｒｏｐ部の受信器とをまとめて送受信器として構成した
ことを特徴とする光波長多重伝送システム。
【請求項５】
請求項２に記載の光波長多重伝送システムにおいて、
前記光信号Ａｄｄ部と同じ構成の増設用の光信号Ａｄｄ部を備え、増設用の光信号Ａｄｄ部を前記光カプラの空きポートに接続し、前記光信号Ｄｒｏｐ部と同じ構成の増設用の光信号Ｄｒｏｐ部を備え、増設用の光信号Ｄｒｏｐ部を前記波長選択スイッチの空きポートに接続する構成である
ことを特徴とする光波長多重伝送システム。
【発明の詳細な説明】
【技術分野】
【０００１】
本発明は、光波長多重信号（以下、ＷＤＭ信号という）を合分波する波長選択スイッチ（以下、ＷＳＳ（wavelength selective switch)という）を用いたノードにおいて、Ａｄｄ／Ｄｒｏｐ信号の波長や方路を任意に設定、変更可能なカラーレス・ディレクションレス機能をもつ光波長多重伝送システムに関する。
【背景技術】
【０００２】
ＩＰデータトラフィックの増大により、大規模なトラフィック変動に対応可能なネットワーク構成の動的制御を行うことが可能な大容量ネットワークシステムが求められている。ＷＳＳを用いたノードにおいて、カラーレス・ディレクションレス機能をもつ多方路ＲＯＡＤＭ(Re-configurable Optical Add Drop Multiplexer)システム（非特許文献１）が提案されているが、Ａｄｄ／Ｄｒｏｐ信号のチャネル数がＷＳＳのポート数に制限されていた。現状実現しているＷＳＳのポート数が１×９であるため、Ａｄｄ／Ｄｒｏｐチャネル数は高々数チャネルとなり、大容量ネットワークシステムへの適用が困難になっていた。なお、ＷＳＳの多段接続によりチャネル数の増加も可能ではあるが、光損失の増加や構成の複雑化によるコスト増を招くことになる。
【０００３】
一方、Ａｄｄ／Ｄｒｏｐチャネル数を大幅に増やすことが可能な大規模マトリックス光スイッチを用いたカラーレス・ディレクションレス光クロスコネクト（ＯＸＣ）システムの構成が提案されている（非特許文献２）。現状で数100 ポート×数100 ポート規模のマトリックス光スイッチが実現しており、これを用いれば数Ｔbit/s のスループットのＯＸＣ型光スイッチが実現可能となる。
【先行技術文献】
【非特許文献】
【０００４】
【非特許文献１】Prasanna, G.; Kishore, B.S.; Omprasad, G.K.; Raju, K.S.; Gowrishankar, R.; Venkataramaniah, K.; Johnson, R.; Voruganti, P., “Versatility of a colorless and directionless WSS based ROADM architecture ”, Communication Systems and Networks and Workshops, Jan. 2009 pp.1-8
【非特許文献２】関  剛志，松田  俊哉，那賀  明，小谷川  喬，織田  一弘, “大規模３Ｄ−ＭＥＭＳ型光スイッチとＷＳＳの組み合わせによるColorless / Directionless 光クロスコネクト検証実験”, 信学技報  OCS2009-17, (2009)
【発明の概要】
【発明が解決しようとする課題】
【０００５】
非特許文献２に記載のＯＸＣ型光スイッチでは、ｎ波ＷＤＭ信号をｍ方路に切り替えようとすると、Ａｄｄ／Ｄｒｏｐ信号用のポートを除いても(n×m)×(n×m)のマトリックス光スイッチが必要となり、現状のマトリックス光スイッチのポート数を越える恐れがある。さらに従来の構成では、予め方路数を見込んだポート数のマトリックス光スイッチを用意する必要があり、拡張性に問題があった。
【０００６】
本発明は、Ａｄｄ／Ｄｒｏｐ信号の波長や方路を任意に設定、変更可能なカラーレス・ディレクションレス機能をもち、拡張性にも優れた光波長多重伝送システムを提供することを目的とする。
【課題を解決するための手段】
【０００７】
本発明は、伝送路のＷＤＭ信号の波長数をｎとし、ｍ本の伝送路にそれぞれ接続されるｍ個の波長選択スイッチとｍ個の光カプラ路との間でスルーポートを相互接続するとともに、光カプラのＡｄｄポートと光信号Ａｄｄ部とを接続して光信号Ａｄｄ部から送信されたＡｄｄ信号を伝送路に出力し、波長選択スイッチのＤｒｏｐポートと光信号Ｄｒｏｐ部とを接続してＤｒｏｐ信号を受信する光波長多重伝送システムにおいて、光信号Ａｄｄ部は、２ｎ個の入力ポートと２ｎ個の出力ポートを有する第１の周回性ＡＷＧを備え、目的の伝送路に出力する任意の波長のＡｄｄ信号を第１の周回性ＡＷＧの所定の入力ポートに入力し、その入力ポートに応じた出力ポートにＷＤＭ信号として出力させ、さらに第１の周回性ＡＷＧの各出力ポートのＷＤＭ信号を目的の伝送路に接続された光カプラのＡｄｄポートに接続する構成であり、光信号Ｄｒｏｐ部は、２ｎ個の入力ポートと２ｎ個の出力ポートを有する第２の周回性ＡＷＧを備え、Ｄｒｏｐポートに分波されたＷＤＭ信号を第２の周回性ＡＷＧの所定の入力ポートに入力し、その入力ポートに対応する出力ポートに分波して出力させ、さらに第２の周回性ＡＷＧの各出力ポートのＤｒｏｐ信号をそれぞれ所定の受信器に接続して受信する構成である。
【０００８】
本発明の光波長多重伝送システムにおける光信号Ａｄｄ部は、送信波長が等間隔に連続するｎ波の１つを出力するｐ個の波長可変送信器と、波長可変送信器のの各光出力とそれぞれ接続されるｐ個の入力ポートを含むｎ個の入力ポートと２ｎ個の出力ポートを持つ第１のマトリックス光ＳＷと、第１のマトリックス光ＳＷの出力ポートと接続された２ｎ個の入力ポートと２ｎ個の出力ポートを持つ第１の周回性ＡＷＧと、第１の周回性ＡＷＧの出力ポートと接続された２ｎ個の入力ポートとｎ個の出力ポートを持つ第２のマトリックス光ＳＷとを備え、第２のマトリックス光ＳＷのｎ個の出力ポートのうちｍ個の出力ポートを光カプラののＡｄｄポートにそれぞれ接続される構成であり、光信号Ｄｒｏｐ部は、波長選択スイッチのＤｒｏｐポートにそれぞれ接続されるｍ個の入力ポートを含むｎ個の入力ポートと２ｎ個の出力ポートを持つ第３のマトリックス光ＳＷと、第３のマトリックス光ＳＷの出力ポートと接続された２ｎ個の入力ポートと２ｎ個の出力ポートを持つ第２の周回性ＡＷＧと、第２の周回性ＡＷＧの出力ポートと接続された２ｎ個の入力ポートとｎ個の出力ポートを持つ第４のマトリックス光ＳＷと、第４のマトリックス光ＳＷのｎ個の出力ポートのうちｐ個の出力ポートと接続されたｐ個の受信器とを備えた構成であり、第１のマトリックス光ＳＷは、波長可変送信器から目的の伝送路に出力する任意の波長のＡｄｄ信号をスイッチングして第１の周回性ＡＷＧの所定の入力ポートに入力し、その入力ポートに応じた出力ポートにＷＤＭ信号として出力させる機能を有し、第２のマトリックス光ＳＷは、第１の周回性ＡＷＧの各出力ポートのＷＤＭ信号を目的の伝送路に接続された光カプラのＡｄｄポートにスイッチングする機能を有し、第３のマトリックス光ＳＷは、波長選択スイッチのＤｒｏｐポートに分波されたＷＤＭ信号を第２の周回性ＡＷＧの所定の入力ポートに入力し、その入力ポートに対応する出力ポートに分波したＤｒｏｐ信号を出力させる機能を有し、第４のマトリックス光ＳＷは、第２の周回性ＡＷＧの各出力ポートのＤｒｏｐ信号を受信器に入力する機能を有する。
【０００９】
また、本発明の光波長多重伝送システムにおいて、光カプラに代えて、スルーポートとＡｄｄポートの光信号を合波して伝送路に出力する波長選択スイッチを用いた構成としてもよい。
【００１０】
また、本発明の光波長多重伝送システムを上りの伝送路および下りの伝送路にそれぞれ対応して設置し、上りの伝送路に接続される光信号Ａｄｄ部の波長可変送信器と、下りの伝送路に接続される光信号Ｄｒｏｐ部の受信器とをまとめて送受信器として構成し、下りの伝送路に接続される光信号Ａｄｄ部の波長可変送信器と、上りの伝送路に接続される光信号Ｄｒｏｐ部の受信器とをまとめて送受信器として構成してもよい。
【００１１】
また、本発明の光波長多重伝送システムにおいて、光信号Ａｄｄ部と同じ構成の増設用の光信号Ａｄｄ部を備え、増設用の光信号Ａｄｄ部を光カプラの空きポートに接続し、光信号Ｄｒｏｐ部と同じ構成の増設用の光信号Ｄｒｏｐ部を備え、増設用の光信号Ｄｒｏｐ部を波長選択スイッチの空きポートに接続する構成としてもよい。
【発明の効果】
【００１２】
本発明の光波長多重伝送システムは、光信号Ａｄｄ部および光信号Ｄｒｏｐ部に周回性ＡＷＧを用い、複数方路の合分波機能を１つに集約するとともに、方路選択機能の一部を持たせることにより装置構成の簡略化を実現することができる。さらに、周回性ＡＷＧの前後に比較的小規模のマトリックス光ＳＷを配置することにより、任意の送受信装置、信号光波長を任意の方路に切り替えることができる。
【００１３】
また、本発明の光波長多重伝送システムに必要となるマトリックス光ＳＷは、送受信合わせてｎ×２ｎが４つとなる。このとき最大ｎ方路までの切り替えが可能となり、光スイッチ規模の大幅な低減が可能となる。また、Ａｄｄ／Ｄｒｏｐチャネル数を増設する場合は、波長選択スイッチおよび光カプラの空きポート数に応じて、光信号Ａｄｄ部および光信号Ｄｒｏｐ部を増設することで対応することができる。
【図面の簡単な説明】
【００１４】
【図１】本発明の実施例１の構成例を示す図である。
【図２】周回性ＡＷＧ１２，２２の入出力特性を示す図である。
【図３】周回性ＡＷＧ１２，２２のポート設定を示す図である。
【図４】本発明の実施例２の構成例を示す図である。
【図５】本発明の実施例３の構成例を示す図である。
【図６】本発明の実施例４の構成例を示す図である。
【発明を実施するための形態】
【実施例１】
【００１５】
図１は、本発明の実施例１の構成例を示す。
図１において、実施例１の光波長多重伝送システムは、ＷＳＳ１〜ＷＳＳｍ、ＣＰＬ（光カプラ）１〜ＣＰＬｍ、光信号Ａｄｄ部１０および光信号Ｄｒｏｐ部２０により構成される。ここで、ｍは１以上ｎ以下の整数、ｎは伝送路のＷＤＭ信号の波長数であり２以上の整数である。
【００１６】
ＷＳＳ１〜ｍは伝送路１−１〜１−ｍにそれぞれ接続され、伝送路１−１〜１−ｍから入力するＷＤＭ信号を分波してスルーポートまたはＤｒｏｐポートに振り分ける。ＣＰＬ１〜ｍは、スルーポートおよびＡｄｄポートに入力する光信号を合波して伝送路２−１〜２−ｍに出力する。ＷＳＳ１〜ｍのスルーポートとＣＰＬ１〜ｍのスルーポートは相互に接続される。
【００１７】
光信号Ａｄｄ部１０は、送信波長が等間隔に連続するｎ波の１つを出力するｐ個（ｐは１以上ｎ以下の整数）のＴｘ（波長可変送信器）１１−１〜１１−ｐと、Ｔｘの各光出力とそれぞれ接続されるｐ個の入力ポートを含むｎ個の入力ポートと２ｎ個の出力ポートを持つマトリックス光ＳＷ１２と、マトリックス光ＳＷ１２の出力ポートと接続された２ｎ個の入力ポートと２ｎ個の出力ポートを持つ周回性ＡＷＧ（アレイ導波路回折格子）１３と、周回性ＡＷＧ１３の出力ポートと接続された２ｎ個の入力ポートとｎ個の出力ポートを持つマトリックス光ＳＷ１４とを備える。マトリックス光ＳＷ１４のｎ個の出力ポートのうちｍ個の出力ポートは、ＣＰＬ１〜ｍのＡｄｄポートにそれぞれ接続される。なお、ｎ＞ｍの場合、マトリックス光ＳＷ１４の出力ポートの一部は伝送路の増設に対応する空きポートになる。また、ｎ＞ｐの場合、マトリックス光ＳＷ１２の入力ポートの一部はＴｘの増設に対応する空きポートになる。
【００１８】
光信号Ｄｒｏｐ部２０は、ＷＳＳ１〜ｍのＤｒｏｐポートにそれぞれ接続されるｍ個の入力ポートを含むｎ個の入力ポートと２ｎ個の出力ポートを持つマトリックス光ＳＷ２１と、マトリックス光ＳＷ２１の出力ポートと接続された２ｎ個の入力ポートと２ｎ個の出力ポートを持つ周回性ＡＷＧ２２と、周回性ＡＷＧ２２の出力ポートと接続された２ｎ個の入力ポートとｎ個の出力ポートを持つマトリックス光ＳＷ２３と、マトリックス光ＳＷ２３のｎ個の出力ポートのうちｐ個の出力ポートと接続されたｐ個のＲｘ（受信器）２４−１〜２４−ｐとを備える。なお、ｎ＞ｍの場合、マトリックス光ＳＷ２１の入力ポートの一部は伝送路の増設に対応する空きポートになる。また、ｎ＞ｐの場合、マトリックス光ＳＷ２３の出力ポートの一部はＲｘの増設に対応する空きポートになる。
【００１９】
図２は、周回性ＡＷＧ１３，２２の入出力特性を示す。ここでは、入力ポート１〜２ｎと出力ポート１〜２ｎとの間で入出力される波長λ１〜λｎをその番号１〜ｎで示す。
【００２０】
周回性ＡＷＧは、ある入力ポートにＷＤＭ信号を入力した場合、波長に応じて分波される出力ポートが定まるが、同じＷＤＭ信号を隣接する入力ポートに入力すると、同じ出力ポートからは１つずれた波長の光信号が出力される。同様に、複数の入力ポートに入力された異なる波長の光信号がある１つの出力ポートにＷＤＭ信号として合波される場合、入力ポートを１つずらすとＷＤＭ信号が合波される出力ポートも１つずれることになる。入出力チャネル数および波長数がｎの光信号の場合、ＡＷＧ入出力ポート数が２ｎ×２ｎであれば、任意の組み合わせのＷＤＭ信号をそれぞれ対応する出力ポートに合分波することができる。
【００２１】
ただし、図１の光信号Ａｄｄ部１０において、Ｔｘ１１と周回性ＡＷＧ１３だけでは任意の出力ポートを選択することはできないが、周回性ＡＷＧ１３の前後にｎ×２ｎのマトリックス光ＳＷ１２および２ｎ×ｎのマトリックス光ＳＷ１４を配置することにより、任意の出力ポートに任意の波長のＷＤＭ信号を出力させることができる。すなわち、マトリックス光ＳＷ１２は、Ｔｘ１１−１〜１１−ｐから目的の伝送路に出力する任意の波長のＡｄｄ信号をスイッチングして周回性ＡＷＧ１３の対応する入力ポートに入力する。この任意の波長のＡｄｄ信号は、周回性ＡＷＧ１３の入力ポートに応じた出力ポートにＷＤＭ信号として合波される。マトリックス光ＳＷ１４は、このＷＤＭ信号を目的の伝送路に接続されたＣＰＬのＡｄｄポートにスイッチングし、ＷＳＳからのスルー信号と合波して目的の伝送路に出力する。
【００２２】
光信号Ｄｒｏｐ部２０においても同様であり、ＷＳＳのＤｒｏｐポートに分波されたＷＤＭ信号は、ｎ×２ｎのマトリックス光ＳＷ２１を介して周回性ＡＷＧ２２の所定の入力ポートに入力され、対応する出力ポートに分波される。２ｎ×ｎのマトリックス光ＳＷ２３は、この分波されたＤｒｏｐ信号をスイッチングして対応するＲｘ２４にそれぞれ入力する。
【００２３】
以下、図３に示す周回性ＡＷＧ１３，２２のポート設定に基づき、実施例１の具体的動作例について説明する。ここでは、各伝送路のＷＤＭ信号の波長数ｎを16、Ａｄｄチャネル数ｐおよびＤｒｏｐチャネル数ｐを16、伝送路数ｍを４とする。
【００２４】
方路１へ出力するＡｄｄ信号がいかなる波長の組み合わせでも、図２より、１〜16のすべての波長を出力することができる周回性ＡＷＧ１３の出力ポートが少なくとも１つは存在するため、方路２へ出力するＡｄｄ信号は16−（方路１へのＡｄｄチャネル数) 内で任意の波長の組み合わせが可能である。同様に方路３以降のＡｄｄ波長も残りのチャネル数内で任意の波長の組み合わせが可能となる。
【００２５】
例えば図３において、伝送路２−１へ出力するＡｄｄ信号としてＴｘ１１−１の波長をλ２、Ｔｘ１１−２の波長をλ14、伝送路２−２へ出力するＡｄｄ信号としてＴｘ１１−３の波長をλ１、Ｔｘ１１−４の波長をλ15、伝送路２−３へ出力するＡｄｄ信号としてＴｘ１１−５の波長をλ１、Ｔｘ１１−６の波長をλ13、伝送路２−４へ出力するＡｄｄ信号としてＴｘ１１−７〜１１−１６の波長をλ１〜λ10とする。
【００２６】
このとき、マトリックス光ＳＷ１２により、Ｔｘ１１−１，１１−２の出力（λ２，λ14）をそれぞれ周回性ＡＷＧ１３の入力ポート１，13に接続すると、周回性ＡＷＧ１３の出力ポート15に合波されて出力される。同様に、Ｔｘ１１−３，１１−４の出力（λ１，λ15）をそれぞれ周回性ＡＷＧ１３の入力ポート３，17に、Ｔｘ１１−５，１１−６の出力（λ１，λ13）をそれぞれ周回性ＡＷＧ１３の入力ポート６，18に、Ｔｘ１１−７〜１１−１６の出力（λ１〜λ10）をそれぞれ周回性ＡＷＧ１３の入力ポート19〜28に接続すると、Ｔｘ１１−３，１１−４の出力は周回性ＡＷＧ１３の出力ポート18に、Ｔｘ１１−５，１１−６の出力は周回性ＡＷＧ１３の出力ポート21に、Ｔｘ１１−７〜１１−１６の出力は周回性ＡＷＧ１３の出力ポート２にそれぞれ合波されて出力される。
【００２７】
マトリックス光ＳＷ１４は、周回性ＡＷＧ１３の出力ポート15から出力されるＷＤＭ信号をＣＰＬ１へ、周回性ＡＷＧ１３の出力ポート18から出力されるＷＤＭ信号をＣＰＬ２へ、周回性ＡＷＧ１３の出力ポート21から出力されるＷＤＭ信号をＣＰＬ３へ、周回性ＡＷＧ１３の出力ポート２から出力されるＷＤＭ信号をＣＰＬ４へ接続することにより、それぞれ目的のＡｄｄ信号設定が可能となる。
【００２８】
Ｄｒｏｐ信号については、ＷＳＳ１にて波長λ２，λ14、ＷＳＳ２にて波長λ１，λ15、ＷＳＳ３にて波長λ１，λ13、ＷＳＳ４にて波長λ１〜λ10をそれぞれ各Ｄｒｏｐポートに設定する。マトリックス光ＳＷ２１は、ＷＳＳ１のＤｒｏｐポートを周回性ＡＷＧ２２の入力ポート15に接続すると、波長λ２，λ14の光信号がそれぞれ出力ポート１，13に出力される。同様に、ＷＳＳ２のＤｒｏｐポートを周回性ＡＷＧ２２の入力ポート18に、ＷＳＳ３のＤｒｏｐポートを周回性ＡＷＧ２２の入力ポート21に、ＷＳＳ４のＤｒｏｐポートを周回性ＡＷＧ２２の入力ポート２に接続すると、各波長の光信号がそれぞれ対応する出力ポートに出力される。マトリックス光ＳＷ２３は、周回性ＡＷＧ２２の各出力ポートを各Ｒｘ２１−１〜２１−１６に接続することにより、目的のＤｒｏｐ信号設定が可能となる。
【００２９】
次に、Ａｄｄ／Ｄｒｏｐ信号の波長や方路の設定を任意に変更可能なカラーレス・ディレクションレス機能について説明する。例えば、伝送路２−１に出力するＡｄｄ信号を波長λ２からλ16に変更する場合には、Ｔｘ１１−１の出力を波長λ２からλ16に変更し、マトリックス光ＳＷ１２でＴｘ１１−１の出力を周回性ＡＷＧ１３の入力ポート１から入力ポート15に切り替える。これにより、周回性ＡＷＧ１３の出力ポート15には、波長λ14とλ16が合波され、以下同様にＣＰＬ１から伝送路２−１へ出力される。
【００３０】
また、Ｔｘ１１−１から出力する波長λ２のＡｄｄ信号を伝送路２−１から伝送路２−２に変更する場合は、マトリックス光ＳＷ１２でＴｘ１１−１の出力を周回性ＡＷＧ１３の入力ポート１から入力ポート４に切り替える。これにより、周回性ＡＷＧ１３の出力ポート18には、波長λ１，λ15とλ２が合波され、以下同様にＣＰＬ２から伝送路２−２へ出力される。
【００３１】
方路と波長を同時に変更する場合も同様である。例えば、Ｔｘ１１−１の出力を波長λ２からλ16に変更し、マトリックス光ＳＷ１２でＴｘ１１−１の出力を周回性ＡＷＧ１３の入力ポート１から入力ポート２に切り替える。これにより、周回性ＡＷＧ１３の出力ポート２には、波長λ１〜λ10とλ16が合波され、以下同様にＣＰＬ４から伝送路２−４へ出力される。このように、Ａｄｄ信号においてカラーレス・ディレクションレスの波長スイッチングが可能となる。
【００３２】
また、Ｄｒｏｐ信号の設定では、例えばＷＳＳ１のＤｒｏｐ波長をλ２，λ14からλ２に変更し、ＷＳＳ４のＤｒｏｐ波長をλ１〜λ10からλ１〜λ10およびλ14に変更することにより、ＷＳＳ１から周回性ＡＷＧの出力ポート13に分波された波長λ14がなくなり、代わりにＷＳＳ４から周回性ＡＷＧの出力ポート32に波長λ14が分波され、マトリックス光ＳＷ２３の設定によって対応するＲｘに受信される。このように、Ｄｒｏｐ信号においてカラーレス・ディレクションレスの波長スイッチングが可能となる。
【実施例２】
【００３３】
図４は、本発明の実施例２の構成例を示す。
図４において、実施例２の光波長多重伝送システムは、実施例１におけるＷＳＳ１〜ｍをＷＳＳ１−１〜１−ｍとし、ＣＰＬ１〜ｍをＷＳＳ２−１〜２−ｍに置き換えた構成である。Ａｄｄ信号およびＤｒｏｐ信号の制御法は実施例１と同じである。
【実施例３】
【００３４】
図５は、本発明の実施例３の構成例を示す。
図５において、実施例３の光波長多重伝送システムは、上りの伝送路Ｅ１〜Ｅｍと、下りの伝送路Ｗ１〜Ｗｍに対して、それぞれ光信号Ａｄｄ部１０Ｅ，１０Ｗ、光信号Ｄｒｏｐ部２０Ｅ，２０Ｗを備え、さらに上りの光信号Ａｄｄ部１０ＥのＴｘと下りの光信号Ｄｒｏｐ部２０ＷのＲｘをまとめたＴＲ（送受信器）３１−１〜３１−ｐを配置し、上りの光信号Ｄｒｏｐ部２０ＷのＲｘと下りの光信号Ａｄｄ部１０ＷのＴｘをまとめたＴＲ（送受信器）３２−１〜３２−ｐを配置する。Ａｄｄ信号およびＤｒｏｐ信号の制御法は実施例１と同じである。
【実施例４】
【００３５】
図６は、本発明の実施例４の構成例を示す。
図６において、実施例４の光波長多重伝送システムは、光信号Ａｄｄ部１０ａと増設用の光信号Ａｄｄ部１０ｂをＣＰＬ１〜ｍに収容するとともに、光信号Ｄｒｏｐ部２０ａと増設用の光信号Ｄｒｏｐ部２０ｂをＷＳＳ１〜ｍに収容する構成である。Ａｄｄ信号およびＤｒｏｐ信号の制御法は実施例１と同じである。
【符号の説明】
【００３６】
１０  光信号Ａｄｄ部
１１  Ｔｘ（波長可変送信器）
１２  マトリックス光ＳＷ（ｎ×２ｎ）
１３  周回性ＡＷＧ（２ｎ×２ｎ）
１４  マトリックス光ＳＷ（２ｎ×ｎ）
２０  光信号Ｄｒｏｐ部
２１  マトリックス光ＳＷ（ｎ×２ｎ）
２２  周回性ＡＷＧ（２ｎ×２ｎ）
２３  マトリックス光ＳＷ（２ｎ×ｎ）
２４  Ｒｘ（受信器）
３１，３２  ＴＲ（送受信器）
【図１】
2011040997.tif 000003
【図２】
2011040997.tif 000004
【図３】
2011040997.tif 000005
【図４】
2011040997.tif 000006
【図５】
2011040997.tif 000007
【図６】
2011040997.tif 000008